(57)【要約】  本発明は、エンジンの停止時および始動時に車両の温度快適性を調節するための方法に関する。本方法は、基本的に、エンジン水温、車両内の温度、フロントガラスが曇る危険性、及び空気調和回路の蒸発器が臭う危険性に関する主要条件を定めることを含む。これらの条件に基づいてエンジン停止時間を制限する。この制限は、エンジンの停止を禁止することによって、又はエンジンを再始動させることによって実施することができる。【選択図】図１
2010519096.tif 000002
【特許請求の範囲】
【請求項１】
エンジンの停止時および始動時に車両の温度快適性を調節するための方法であって、特に、エンジン水温、車両乗員室内の温度、フロントガラスが曇る危険性、及び空気調和回路の蒸発器が臭う危険性に関する主要条件を定めることと、これらの条件に基づいてエンジン停止時間を制限することとを特徴とする方法。
【請求項２】
一方でエンジン再始動によってエンジン停止時間を制限し、他方で走行中のエンジン停止を禁止することによって停止回数を低減することを特徴とする、請求項１記載の方法。
【請求項３】
エンジン冷却水の温度を測定することと、この温度が閾値Ｓ１よりも低くなるとすぐにエンジンを再始動させることを特徴とする、請求項１または２に記載の方法。
【請求項４】
乗員室内の温度を測定することと、この温度と目標温度との差が所定の差異を超えるとすぐにエンジンを再始動させることとを特徴とする、請求項１または２に記載の方法。
【請求項５】
車両の乗員室内の目標温度と測定された温度との差を、差異〔−ａ；＋ａ〕（ａは１℃〜５℃）内に維持することを特徴とする、請求項４記載の方法。
【請求項６】
差異〔−ａ；＋ａ〕を外部状態に応じて動的に変化させ、車両の始動時に差異を拡大し、安定した状態では差異を狭めることを特徴とする、請求項４または５に記載の方法。
【請求項７】
相対湿度センサを用いて、車両の乗員室内の空気の相対湿度を測定することと、相対湿度センサがフロントガラスが曇る危険性を感知すると、エンジンを再始動させることとを特徴とする、請求項１または２に記載の方法。
【請求項８】
フロントガラスが曇ったとき、急速に曇り取り制御ボタンを押すことによって自動車のエンジンを再始動させることを特徴とする、請求項１または２に記載の方法。
【請求項９】
測定プローブを使用して空気調和回路の蒸発器の温度を測定すること又は空気調和コンピュータでこの温度を計算することと、蒸発器の温度が閾値を超えたらエンジンを再始動させることとを特徴とする、請求項１または２に記載の方法。
【請求項１０】
外気温度が閾値を超えるとエンジンを再始動させることを特徴とする、請求項９記載の方法。
【請求項１１】
エンジンのスイッチが切られたとき、空気調和／暖房パルサの回転速度を低下させることを特徴とする請求項１〜１０のいずれか一項に記載の方法。
【請求項１２】
車両が冷却回路に電気式ウォーターポンプを備えている場合、エンジン停止時に、ユニットヒータ内の水の流量を維持し、それによってエンジンの停止時に暖房の働きが維持される時間を延ばすために、ウォーターポンプを始動させることを特徴とする請求項１〜１１のいずれか一項に記載の方法。
【発明の詳細な説明】
【背景技術】
【０００１】
従来の車両の場合、車両が走行していようと、例えば赤信号で停止していようと、エンジンは走行の間中は作動したままである。従って、暖房回路と冷房回路のような公知の手段により、温度が快適に保たれる。
【０００２】
エンジン停止機能および始動機能を有する車両では、速度がゼロまたはほぼゼロであるとき、エンジンのスイッチが切られる。車両のほとんどの働きはスイッチが切れるかまたは低下する。しかしながら、これらの働きの一部、例えばフロントガラスの曇り取りは、維持することが重要であり、場合によっては不可欠である。
【０００３】
車両のエンジンが停止している間に温度を快適に保つための一つの解決策は、簡単なキロカロリー蓄熱蒸発器から、バッテリで動く電気式コンプレッサのような複雑な解決策に及ぶ付加的な空気調和／暖房システムを取付けることである。しかしながら、このような解決策はコストが高くつく。
【発明の概要】
【発明が解決しようとする課題】
【０００４】
本発明の主題は、余分な空気調和／暖房機器の追加を必要としない、エンジンの停止時および始動時に（ストップアンドスタートと呼ばれることもある）車両の温度を快適なものに調節するための方法である。
【課題を解決するための手段】
【０００５】
これらの目的は、本発明に従い、特にエンジン水温、車両乗員室内の温度、フロントガラスが曇る危険性、および空気調和回路の蒸発器が臭う危険性に関する主要条件を定めることと、これらの条件に基づいてエンジン停止時間を制限することによって達成される。
【０００６】
有利には、エンジンの再始動によってエンジン停止時間を制限し、且つ走行中のエンジン停止の禁止によって停止の発生（時間および回数）を低減する。これらの２つの動作は、停止と始動の機能を有する監視論理制御装置で生成される。
【０００７】
好ましくは寒い天候で使用されるエンジン冷却水の温度に関する第１条件に従って、エンジン冷却水の温度の測定値が閾値Ｓ１（Ｓ１は５０℃から６０℃の間）よりも低い間は、エンジンのスイッチを切ることを禁止する。
【０００８】
空気調和コンピュータはエンジンの水温測定値にアクセスでき、エンジンのスイッチが切られる度に停止時間を決定するために条件が適用される。エンジンが停止している間に条件が満たされなければ、エンジンが再始動される。
【０００９】
乗員室内の温度に関する第２条件に従って、乗員室内の温度を測定し、この温度と目標温度の差が所定の差異を超えるとすぐにエンジンを再始動させる。
【００１０】
乗員室内の目標温度と測定された温度との差を、ａを１℃から５℃の間とした差異〔−ａ；＋ａ〕内に維持する。この値は燃料／公害防止と快適性／費用効果のバランスによって決定される。十分に試行された適切な大きさは１℃から５℃の間である。
【００１１】
この条件は、乗員室内の快適な温度の決定において基本的なものである。温度を快適に保つ働きと、エンジンの停止および始動とのバランスは、快適性エラーパラメータを考慮に入れた公差範囲に依存する。もしこの範囲が大きければ、大きな快適性低下が容認され、そうでなければ少数のまたは短いエンジンスイッチオフが受け入れられる。
【００１２】
有利には、差異〔−ａ；＋ａ〕を外部状態に応じて動的に変化させる。例えばエンジンの始動時に、エンジンを停止できるようにするために、差異を拡大する。この差異は乗員の快適性にできるだけ密接に適合させるために安定状態では狭められる。
【００１３】
フロントガラスが曇る危険性に関する第３条件に従い、車両が相対湿度センサを備えている場合は相対湿度センサを用いて自動車の乗員室内の空気の相対湿度を測定し、相対湿度センサがフロントガラスが曇る危険性を感知するとエンジンを再始動させる。
【００１４】
車両が相対湿度センサを備えていない場合、運転者は、フロントガラスの曇りに気づいたら急速曇り取り制御ボタンを押すことにより、車両エンジンを再始動させる。曇る危険性が持続する場合、所定の時間内に行われる第２動作は、決定された時間に亘りエンジンのスイッチオフを禁止する。一実施形態では、使用者は、停止／始動モードを作動不能にするボタンを押すことにより再始動するという最後の手段を有する。
【００１５】
最後に、悪臭の危険性に関する第４条件に従い、プローブを使用して空気調和回路の蒸発器の温度を測定することにより、あるいは空気調和コンピュータでこの温度を計算することにより、蒸発器の温度が閾値を超えるとエンジンを再始動させる。
【００１６】
この条件は外気温度条件なしに導入することも、特定の外気温度に基づいて導入することもできる。この場合、外気温度が閾値を超え、第４条件が満たされるとき、エンジンを再始動させる。
【００１７】
これらの方策は、空気調和／暖房パルサの音を特別に管理することによって補完することができる。実際には、エンジンのスイッチが切れていれば、パルサの騒音はエンジンの騒音によって遮られることがなく、不快な音が生じ得る。この場合、エンジンのスイッチが切られているとき、空気調和／暖房パルサの回転速度を低下させる。従って、通気による不快な音は小さくなるが、乗員にかかる吹き出し空気の速度も低下し、この吹き出し空気速度は吹き出し空気温度上昇が鈍化するという事実によって相殺される。換言すると、空気の速度は低下するが、吹き出し空気は冷たくなる。
【００１８】
乗員にかかる吹き出し空気速度が低下する。外気温度が２０℃から４０℃の間であるとき（夏季）、この吹き出し空気速度は吹き出し空気温度上昇の鈍化によって相殺され、反対に、外気温度が−１０℃から２０℃の間であるとき（冬季）、この吹き出し空気速度は吹き出し空気温度低下の鈍化によって相殺される。換言すると、空気速度は低下するが、吹き出し空気は長時間冷たいままである（２０℃から４０℃の間の条件）か、あるいは長時間温かいままである（−１０℃から２０℃の間の条件）。
【００１９】
車両が冷却回路に付加的な電気式ウォーターポンプを備えている場合（停止機能と始動機能が独立している場合：例えば、快適な温度が極端に低いか、またはターボ軸受が冷却される）、空気冷却器内の水の流量を維持してエンジンの停止時に暖房働きを長時間維持するために、有利にはエンジン停止時にウォーターポンプを再始動させる。第１条件は、停止中にエンジンの水の温度の測定を続けることによって高めることができる：この水の温度が結果的に閾値Ｓ１を下回ったら、エンジンを再始動させる（この時間は通常の停止時間よりもはるかに長い）。
【００２０】
これらの様々な条件は、自動式空気調和装置を備えた車両に完全に適用可能である。この空気調和装置は多数のセンサとコンピュータを用いて、車両内の温度快適性と可視性条件を知る方法を提供し、従ってエンジンの停止および始動と、温度快適性とのバランスを良好に管理する。
【００２１】
車両が手動式空気調和装置を備えている場合には、２つの働きの間のバランスは運転者に一層依存する。運転者は自分の思うままに２つの働きのうちの一方を優先する。エンジンの停止と始動を不能にするボタンは、エンジンの停止および始動の間、運転者に温度快適性を優先させる。エンジンが停止している場合、運転者はエンジンを再始動させようとし、この制御の続行は運転者が車両を再始動させることを可能にする。
【００２２】
第１条件と第４条件は有効に維持される。コンピュータと関連するセンサの欠如は、外気温度にのみ基づく簡単な法則によって、および停止時間と２回の停止の間の時間を管理するタイマによって、相殺される。停止の発生は、外気温度が特に２５℃を超える場合さらに制限される。周囲温度が２５℃よりも高いとき、概ね１分であった停止の最大時間（ｔｓ）は短くなってゆき、例えば３５℃の周囲温度ではゼロになる。走行時に停止を再許可する前に経過しなければならない最小停止禁止時間（ｔｉ）は、外気温度と共に長くなる（例：２５℃のとき０秒であったｔｉは、３５℃のとき１分となるまで変化する；これらは表示値である）。
【００２３】
例えば走行を開始するとき、乗用車の快適性を一層迅速に達成できるようにするため、停止が制限される。この順応相の間、空気調和が調整される場合と同様に、乗員室の状態に関する実際の情報が入手できない場合には制御アルゴリズムが予防的に作用する。例えば走行開始時に、外気温度を人工的に補正し、エンジン停止制限領域内に意図的に配することができる。
【００２４】
本発明の他の特徴は添付の図面から明らかになるであろう。
【図面の簡単な説明】
【００２５】
【図１】本発明の方法のプロセスを示すチャートである。
【図２】手動式空気調和モードにおける停止時間と、２回の停止の間の時間とを示すグラフである。
【発明を実施するための形態】
【００２６】
図２において、Ｔｉは許可された２回の停止の間の最小時間を示し、Ｔｓは停止のために許可された最大時間を示す。図から分かるように、最大許可停止時間は概ね直線的に低下し、３５℃の温度で無くなる。これに対し、２回の停止の間の最小時間は２０℃から２５℃の間で一定であり、そして２５℃を超えると直線的に増大する。
【図１】
2010519096.tif 000003
【図２】
2010519096.tif 000004
【国際調査報告】
2010519096.tif 000005
2010519096.tif 000006
2010519096.tif 000007
2010519096.tif 000008